(57)【特許請求の範囲】
【請求項１】
筐体と、該筐体内に取り付けられた回路基板と、前記筐体に取り付けられ、取付部と抑え部とを有する絶縁材からなる端子保持板と、該端子保持板に保持され、前記回路基板と接続して前記筐体外部に一部が突出した複数の端子とを備え、前記端子部に設けた取付部で前記端子を取り付け、また前記筐体外部に突出した前記端子の一部を長手方向に露出させるとともに前記抑え部で露出した前記端子の反対側を当接させて抑えるようにしたことを特徴とする電子機器。
【請求項２】
前記端子保持板の取付部から離れた位置に、抑え部から一体に延びる支持部を設け、前記支持部によって端子の一部を埋設して支持した構成を有することを特徴とする請求項１に記載の電子機器。
【請求項３】
筐体と、該筐体内に取り付けられた回路基板と、前記筐体に取り付けられ、取付部、突出部及び支持部を有する絶縁材からなる端子保持板と、該端子保持板に保持され、前記回路基板と接続して前記筐体外部に一部が突出した複数の端子とを備え、前記端子部に設けた前記取付部で前記端子を取り付け、前記取付部から一体に繋がって外方に延びる突出部を設け、前記端子保持板の前記取付部から離れた位置に前記突出部から一体に延びる前記支持部を設け、前記取付部及び前記支持部により前記筐体外部に突出した前記端子の一部を埋設し、前記端子の一部が前記支持部と前記取付部の間で長手方向に露出させたことを特徴とする電子機器。
【請求項４】
前記筐体の一側壁の中央部から側縁側へ切り起こされた複数個の爪部により前記端子保持板を挟持してなることを特徴とする請求項１乃至請求項３のいずれか一に記載の電子機器。
【請求項５】
前記端子保持板の一方の側縁側に沿って形成され、広い間隔で配設された少なくとも２つの前記爪部と、前記端子保持板の他方の側縁側に沿って形成され、前記広い間隔で配設された２つの前記爪部の間隔範囲内に配設された少なくとも２つの前記爪部とにより前記端子保持板を挟持してなることを特徴とする請求項４に記載の電子機器。
【発明の詳細な説明】
【０００１】
【発明の属する技術分野】
本発明はテレビチューナ等に使用される電子機器に関するものである。
【０００２】
【従来の技術】
図８は、従来のテレビチューナ等に使用される電子機器並びにその検査・調整方法を説明するための斜視図、図９は、図８に示した従来の電子機器並びにその検査・調整方法を説明するための要部断面図、図１０は、図８に示した従来の電子機器の正面図である。図８、図９に示すように、従来の電子機器の直方体状口字型の筐体２１は、金属板よりなる４つの側壁を備え、相対向する２つの側壁２１ａとその間を繋ぐ相対向する側壁２１ｂとからなり、上・下の２つの面には開口部２１ｃ、２１ｄが設けられている。また、前記４つの側壁のうちの一つの側壁２１ａの中央部には矩形状の孔２１ｅが設けられ、また、側壁２１ａには、側壁２１ａの開口部２１ｃ側に位置する側縁２１ｆから側壁２１ａの中央部へ向かって切り起こされた２つの爪部２１ｈと、側壁２１ａの開口部２１ｄ側に位置する側縁２１ｇ側から側壁２１ａの中央部へ向かって切り起こされた２つの爪部２１ｉが形成されている。そして、これらの爪部は側縁２１ｆに設けられた爪部２１ｈと側縁２１ｇに設けられた爪部２１ｉとが対向する位置に形成されている。側壁２１ａの爪部２１ｈ、２１ｉが切り起こされた部分には、切り欠き部２１ｊが形成されている。また、爪部２１ｈ、２１ｉを設けた側壁２１ａの両側に接した相対向する２つの側壁２１ｂ側には、互いに平行状態で外方に突出した取付脚２１ｋが設けられ、この取付脚２１ｋは、テレビジョン受像機等のメインのプリント基板等に電子機器を取り付ける際に使用されるものである。また、筐体２１には、それらの開口部２１ｃ、２１ｄを覆うように金属板よりなるカバー２２が取り付けられている。
【０００３】
また、プリント配線が施された板状の回路基板２３は、その一端近くに複数個の端子孔２３ａが形成されるとともに、回路基板２３上に回路部品等が搭載されて電気回路が構成され、筐体２１内部に適宜方法で固着されている。
【０００４】
また、端子保持板２４は矩形平板状のモールド樹脂等の絶縁材からなる成型品であり、この端子保持板２４には、断面が丸状もしくは角状の線状金属材で構成された複数のＬ字状の端子２５が貫通した状態で所定の間隔で配列されて埋設される。また、端子２５と一体化した端子保持板２４は、側壁２１ａ上に載置され、前記爪部２１ｈ、２１ｉを折り曲げることにより挟持して固定されている。そして、端子保持板２４が取り付けられたとき、端子保持板２４により一体化され保持されている端子２５の一端は、側壁２１ａに設けられた孔２１ｅを通り、前記回路基板２３に設けられた端子孔２３ａに挿通され、半田２６により回路基板２３に固定されることによって、回路基板２３に構成されている電気回路と電気的に接続され、また、端子２５の他端は筐体２１の外部に突出している。
【０００５】
以上のようにして構成された電子機器は、製品として出荷される前に必ず性能の検査及び調整が行われる。例えば電子機器がテレビチューナである場合、行われる検査・調整項目としては、同調周波数の調整や雑音指数の検査・調整等が挙げられる。電子機器の検査・調整に用いられる検査・調整装置は、図８、図９に示すように、テストピン２７をテストピン保持板２８に保持した構成を備えていて、テストピン２７が備えられている検査・調整装置内にはバネ（図示せず）が設けられている。検査・調整工程において、各端子２５をテストピン２７に対向させた状態で押し付けてテストピン２７の端部と接触させる際に、前記バネの反発力、即ちバネ圧を利用して良好に接触させている。次に、前記検査・調整装置から電子機器の内部に配置された回路基板２３の電気回路へ検査・調整のための電気信号が送出され、電気回路より出力された電気信号を解析することにより必要に応じて調整作業を行って検査・調整工程が完了する。検査・調整が完了した電子機器は出荷され、テレビジョン受像機等のメインのプリント基板等に搭載されて使用される。
【０００６】
【発明が解決しようとする課題】
しかしながら、前記従来の電子機器には以下の問題点が存在する。従来の電子機器では、筐体２１から突出した端子２５には、検査・調整工程においてテストピン２７を端子２５に押し付ける際に、バネ圧による押圧力に基づく負荷が与えられる。このテストピン２７のバネの押圧力により、端子２５は端子保持板２４で固定されている根元の部分Ｘを支点として、図９に点線で示した折れ曲がった端子２５ａのように折れ曲がる。この折れ曲がった端子２５ａのよう折れ曲がると、検査・調整工程において折れ曲がった端子２５ａとテストピン２７との接触不良が生じて電気信号の授受が正確に行われなくなる。
【０００７】
このように、検査・調整工程で折れ曲がった端子２５ａを有する電子機器をメインのプリント基板等に取り付ける場合、所望の接続箇所に折れ曲がった端子２５ａを配置することができず、電気的接続が良好に行われない恐れがある。特に各端子２５はメインのプリント基板等に設けられた電気的接続のための孔に差し込む構造となっているため、折れ曲がった端子２５ａの状態では前記電気的接続のための孔に嵌合されなくなり、無理に差し込むと折れて破損する恐れがある。
【０００８】
また、端子２５と一体化した端子保持板２４を挟持して固定するために、側壁２１ａの側縁２１ｆ、２１ｇ部に爪部２１ｈ、２１ｉが設けられており、側壁２１ａの外周部に切り欠き部２１ｊが形成されていることとなる。このような切り欠き部２１ｊは、筐体２１の端子保持板２４を配設する側壁２１ａの強度を低下させる。さらに、切り欠き部２１ｊは対向する位置に形成されているため、側壁２１ａの切り欠き部２１ｊが存在する部分の幅が他の部分よりも狭くなっており、より強度が弱くなっている。
【０００９】
さらに、従来の爪部２１ｈ、２１ｉは、図１０中に示したように爪部２１ｈ、２１ｉによって端子保持板２４を挟持する際の、端子保持板２４に対して作用する力は図１０中に示した矢印Ｙのようになり、４つの爪部２１ｈ、２１ｉが端子保持板２４に与える力の分布は、図１０中に点線Ｚで示したように一直線状となる。そのため、端子２５と一体化した端子保持板２４を強固に挟持して固定することができず、運搬時などに電子機器に衝撃や振動が加わると、図１０中の矢印Ｗの方向へ端子保持板２４がずれることがある。端子保持板２４が所定の位置からずれると、メインのプリント基板等との電気的接続が良好に行われなくなる。
【００１０】
本発明が解決しようとする課題は、検査・調整工程における端子の折れ曲がり等の変形を防止して形状を保持することができ、併せて端子が一体化されている端子保持板の強固な挟持を行うことにより端子の位置を安定させることができる電子機器を提供することである。
【００１１】
【課題を解決するための手段】
前記課題を解決するための第１の解決手段として、本発明の電子機器は、筐体と、該筐体内に取り付けられた回路基板と、前記筐体に取り付けられ、取付部と抑え部とを有する絶縁材からなる端子保持板と、該端子保持板に保持され、前記回路基板と接続して前記筐体外部に一部が突出した複数の端子とを備え、前記端子部に設けた取付部で前記端子を取り付け、また前記筐体外部に突出した前記端子の一部を長手方向に露出させるとともに前記抑え部で露出した前記端子の反対側を当接させて抑えるようにした構成とした。
【００１２】
また、第２の解決手段として、本発明の電子機器は、前記端子保持板の取付部から離れた位置に、抑え部から一体に延びる支持部を設け、前記支持部によって端子の一部を埋設して支持した構成を有した構成とした。
【００１３】
また、第３の解決手段として、本発明の電子機器は、筐体と、該筐体内に取り付けられた回路基板と、前記筐体に取り付けられ、取付部、突出部及び支持部を有する絶縁材からなる端子保持板と、該端子保持板に保持され、前記回路基板と接続して前記筐体外部に一部が突出した複数の端子とを備え、前記端子部に設けた前記取付部で前記端子を取り付け、前記取付部から一体に繋がって外方に延びる突出部を設け、前記端子保持板の前記取付部から離れた位置に前記突出部から一体に延びる前記支持部を設け、前記取付部及び前記支持部により前記筐体外部に突出した前記端子の一部を埋設し、前記端子の一部が前記支持部と前記取付部の間で長手方向に露出させた構成とした。
【００１４】
また、第４の解決手段として、本発明の電子機器は、前記筐体の一側壁の中央部から側縁側へ切り起こされた複数個の爪部により前記端子保持板を挟持した構成とした。
【００１５】
また、第５の解決手段として、本発明の電子機器は、前記端子保持板の一方の側縁側に沿って形成され、広い間隔で配設された少なくとも２つの前記爪部と、前記端子保持板の他方の側縁側に沿って形成され、前記広い間隔で配設された２つの前記爪部の間隔範囲内に配設された少なくとも２つの前記爪部とにより前記端子保持板を挟持した構成とした。
【００１６】
【発明の実施の形態】
以下に、本発明の電子機器の第１の実施の形態について説明する。図１は、本発明の電子機器の第１の実施の形態に係る斜視図、図２は、図１に示した本発明の電子機器の要部断面図、図３は、図１に示した本発明の電子機器の正面図である。図１〜図３に示すように、電子機器の直方体状口字型の筐体１は、金属板よりなる４つの側壁を備え、相対向する２つの側壁１ａとその間を繋ぐ相対向する側壁１ｂとからなり、上・下の２つの面には開口部１ｃ、１ｄが設けられている。また、前記４つの側壁のうちの一つの側壁１ａの中央部には矩形状の孔１ｅが設けられ、また、側壁１ａには、側壁１ａの中央部から開口部１ｃ、１ｄ側の両端に位置する側縁１ｆ、１ｇ側へ向かってコの字状切り起こされた合わせて４つの爪部１ｈ、１ｉが形成されている。
【００１７】
図３に示したように、筐体１の側壁１ａに設けられた前記爪部１ｈは、一方の側縁１ｆに沿って所定の間隔で２つが配置され、また、爪部１ｉは他方の側縁１ｇに沿って前記爪部１ｈよりも狭い間隔で２つが配置されている。この際に爪部１ｉは爪部１ｈの間隔範囲内に配置されている。また、爪部１ｈ、１ｉを設けた側壁１ａの両側に接した相対向する２つの側壁１ｂ側には、互いに平行状態で外方に突出した取付脚１ｋが設けられ、この取付脚１ｋは、テレビジョン受像機等のメインのプリント基板等に電子機器を取り付ける際に使用されるものである。また、筐体１には、その開口部１ｃ、１ｄを覆うように金属板よりなるカバー２が取り付けられている。
【００１８】
また、プリント配線が施された板状の回路基板３は、その一端近くに複数個の端子孔３ａが形成されるとともに、回路基板３上に回路部品等が搭載されて電気回路が構成され、筐体１内部に適宜方法で固着されている。
【００１９】
また、端子保持板４はモールド樹脂等の絶縁材からなり、平板状の取付部４ａと取付部４ａから直立した抑え部４ｂとにより構成されている。端子保持板４の取付部４ａには、断面が丸状もしくは角状の線状金属材で構成された複数のＬ字状の端子５が貫通した状態で所定の間隔で配列されて埋設される。また、端子５と一体化した端子保持板４は、側壁１ａ上に載置され、前記爪部１ｈ、１ｉを折り曲げることにより挟持して固定されている。そして、端子保持板４が取り付けられたとき、端子保持板４により一体化され保持されている端子５の一端は、側壁１ａに設けられた孔１ｅを通り、前記回路基板３に設けられた端子孔３ａに挿通され、半田６により回路基板３に固定されることによって、回路基板３に構成されている電気回路と電気的に接続され、また、端子５の他端は筐体１の外部に突出している。さらに、筐体１外部に突出した端子５は、その一部を長手方向に露出させるとともに、端子保持板４の抑え部４ｂは端子５の露出した部分の反対側に当接させて抑えるようになっている。
【００２０】
前述のように、端子５と一体化した端子保持板４の側壁１ａへの配設は、爪部１ｈ、１ｉを用いた挟持により行う。これらの爪部１ｈ、１ｉは側壁１ａの中央部から側縁１ｆ、１ｇ側へ向かってコの字状に切り起こされて形成され、その形成位置は爪部１ｉが爪部１ｈの間隔範囲内に配置されたものとなっている。即ち、爪部１ｈ、１ｉは側壁１ａの中央部に位置した構造となっており、側壁１ａの外周部に肉部が残存した状態で、側壁１ａの中央部に切り欠き１ｊが形成されたようになっているとともに、また、爪部１ｈと爪部１ｉとが非対向状態で設けられているため、側壁１ａの強度は高い。
【００２１】
また、爪部１ｈは端子保持板４の一方の側縁側に沿って広い間隔で少なくとも２つ配設され、爪部１ｉは端子保持板４の他方の側縁側に沿って前記爪部１ｈの間隔範囲内に少なくとも２つ配設されている。そのため、これらの爪部１ｈ、１ｉは端子保持板４に対して、図３中に示した矢印Ａの方向に挟持する力を及ぼし、４つの爪部１ｈ、１ｉが端子保持板４に与える力の分布は、図３中に点線Ｂで示したように端子保持板４の各位置で異なる。その結果、端子５と一体化した端子保持板４を強固に挟持して固定することができ、運搬時などに電子機器に衝撃や振動が加わった場合にも、端子保持板４の矢印Ｃ方向へのずれが生じにくくなる。
【００２２】
以上のようにして構成された本発明の電子機器においても、従来の電子機器と同様に、製品として出荷される前に必ず性能の検査及び調整が行われる。図４は、本発明の電子機器並びにその検査・調整方法を説明するための斜視図、図５は、図４に示した本発明の電子機器並びにその検査・調整方法を説明するための要部断面図である。電子機器の検査・調整に用いられる検査・調整装置は、テストピン７をテストピン保持板８に保持した構成を備えていて、テストピン７が備えられている検査・調整装置内にはバネ（図示せず）が設けられている。検査・調整工程において、各端子５をテストピン７に対向させた状態で押し付けてテストピン７の端部と接触させる際に、前記バネの反発力、即ちバネ圧を利用して良好に接触させている。次に、前記検査・調整装置から電子機器の内部に配置された回路へ検査・調整のための電気信号が送出され、回路より出力された電気信号を解析することにより必要に応じて調整作業を行って検査・調整工程が完了する。検査・調整が完了した電子機器は、テレビジョン受像機等のメインのプリント基板等に搭載される。
【００２３】
本発明の電子機器では、各端子５はテストピン７が接触する露出部分の反対側に抑え部４ｂが当接しているため、検査・調整工程において端子５にテストピン７が押し付けられ、端子５に対して与えられるバネ圧による押圧力を抑え部４ｂで抑え、端子５が変形するのを防止することができる。このように変形が防止された端子５は、検査・調整装置から電子機器の内部に配置された回路基板３の電気回路へ検査・調整のための電気信号が送出され、電気回路より出力された電気信号を解析する工程において、端子５とテストピン７との接触不良が生じないため、電気信号の授受が正確に行われ、電気回路より出力された電気信号を解析する際にも正確な検査結果が得られる。
【００２４】
また、検査・調整工程において折れ曲がるのを良好に防止した端子５を有する電子機器を、メインのプリント基板等に取り付ける際にも、所望の接続箇所に端子５を配置することができる。特に、各端子５をメインのプリント基板等に設けられた電気的接続のための孔に差し込む場合にも、折れ曲がりがないために良好に嵌合が行われ、組立が確実に行われる。
【００２５】
次に、本発明の電子機器の第２の実施の形態について説明する。図６は、本発明の電子機器の第２の実施の形態に係る斜視図、図７は、図６に示した本発明の電子機器の要部断面図である。この第２の実施の形態は、端子保持板４の構成は異なるが、その他の構成は前記第１の実施の形態と同様である。そのため、第２の実施の形態では、同一部品には同一の番号を付し、それらについては詳細な説明は省略する。第２の実施の形態では、端子保持板４はモールド樹脂等の絶縁材からなり、平板状の取付部４ａと、この取付部４ａから直立した抑え部４ｂと、この抑え部４ｂの一端から一体に、取付部４ａから離れて平行に延びる支持部４ｃとにより構成されている。端子保持板４の取付部４ａには、断面が丸状もしくは角状の線状金属材で構成された複数のＬ字状の端子５が貫通した状態で所定の間隔で配列されて埋設される。また、第１の実施の形態と同様に、筐体１外部に突出した端子５は、その一部を長手方向に露出させるとともに、端子保持板４の抑え部４ｂは端子５の露出した部分の反対側に当接させて抑えるように設けられている。さらに、抑え部４ｂから一体に、取付部４ａから離れて平行に延びる支持部４ｃは、図７に示したように端子５の一部を埋設して支持する構造となって、端子５の前記露出部分の両端が支持されている。取付部４ａ及び支持部４ｃにより埋設されていない端子５の露出部分は、検査・調整工程においてテストピン７が接触する場所とする。このように支持部４ｃを設けることにより、検査・調整工程において端子５の露出した部分に対してテストピン７により押圧力が与えられた場合に、端子５が変形するのを防止する効果がより向上する。
【００２６】
以上のように、端子保持板４はテストピン７を押し付けた際に、テストピン７が端子５に対して与える押圧力により端子５が折れ曲がらないように端子保持板４とテストピン７とにより挟持する構造となっていれば良く、図１乃至図７に示したような本発明の第１及び第２の実施の形態において説明したような端子保持板４に限られるものではない。
【００２７】
この第２の実施の形態では、抑え部４ｂに端子５の露出部の反対側を当接したもので説明したが、この抑え部４ｂを、端子５と当接させないような突出部で構成し、第２の実施の形態と同様に少なくとも取付部４ａと支持部４ｃとで端子５の長手方向に露出した部分の両端部を埋設し、取付部４ａと支持部４ｃ間で端子５の長手方向に露出させるようにしてもよい。これにより、テストピン７が押し付けられたバネ圧に基づく押圧力による負荷程度であれば、端子５の露出部分が折れ曲がるのを十分防止でき、また、端子５のメインのプリント基板等に設けられた電気的接続のための孔に差し込む部分についても折れ曲がりがないため、メインのプリント基板等との電気的接続が良好に行われる。
【００２８】
尚、爪部１ｈ及び１ｉは各端子保持板４の取付部４ａの側縁にそれぞれ２つ配置した実施の形態を例示したが、それぞれ３つ以上の複数個を設けることも可能であり、その際には、端子保持板４をより強固に挟持することが可能となる。また、爪部１ｈの２つの爪部の間隔範囲内には、２つの爪部１ｉを配置した実施の形態を例示したが、前記爪部１ｉは３つ以上の複数個を設けることも可能である。
【００２９】
【発明の効果】
本発明は以上のように構成されているため、以下に記すような優れた効果を奏する。本発明の電子機器によれば、回路基板と接続して筐体外部に一部が突出した複数の端子を保持する端子保持板が、端子の長手方向に露出させた部分の反対側に一部が当接する抑え部と端子を保持している取付部とを有する構造とすることで、検査・調整工程の際にテストピンが押し付けられることによるバネ圧に基づく押圧力が原因となり端子が折れ曲がるのを防止することができ、端子とテストピンとの接触不良が生じないため、電気信号の授受が正確に行われる。また、端子に折れ曲がりがないので、電子機器をメインのプリント基板等に搭載する際に、端子のメインのプリント基板等に設けられた電気的接続のための孔への挿入が確実に行われる。
【００３０】
また、端子保持板の取付部から離れた位置に、抑え部から一体に延びる支持部を設けて、この内部に端子の一部を埋設して支持した構造とすることにより、端子がテストピンのバネ圧に基づく押圧力により折れ曲がるのを防止する効果が更に向上する。
【００３１】
また、この抑え部を端子と当接させない突出部とし、少なくとも取付部と支持部とで、端子の長手方向に露出した部分の両端部を埋設して２カ所で支持する構成としても、端子が折れ曲がるのを防止する効果がある。
【００３２】
また、端子保持板の筐体への固定を、筐体の一側壁の中央部から側縁側へ切り起こされた爪部により挟持して行うため、側壁の外周部に肉部が残存した状態で、側壁の中央部に切り欠きが形成され、それぞれ２つの爪部が非対向状態で設けられているため、側壁の強度は高いものとなる。
【００３３】
また、端子保持板を挟持する爪部を、端子保持板の一方の側縁側に広い間隔で配置された少なくとも２つの爪部と、他方の側縁側には前記広い間隔で配置された爪部の間隔範囲内に配置される少なくとも２つの爪部とすることにより、端子保持板の長手方向へのずれや抜けが生じない。
【図面の簡単な説明】
【図１】本発明の電子機器の第１の実施の形態に係る斜視図である。
【図２】図１に示した本発明の電子機器の要部断面図である。
【図３】図１に示した本発明の電子機器の正面図である。
【図４】本発明の電子機器並びにその検査・調整方法を説明するための斜視図である。
【図５】図４に示した本発明の電子機器並びにその検査・調整方法を説明するための要部断面図である。
【図６】本発明の電子機器の第２の実施の形態に係る斜視図である。
【図７】図６に示した本発明の電子機器の要部断面図である。
【図８】従来の電子機器並びにその検査・調整方法を説明するための斜視図である。
【図９】図８に示した従来の電子機器並びにその検査・調整方法を説明するための要部断面図である。
【図１０】図８に示した従来の電子機器の正面図である。
【符号の説明】
１  筐体
１ａ，１ｂ  側壁
１ｃ，１ｄ  開口部
１ｅ  孔
１ｆ，１ｇ  側縁
１ｈ，１ｉ  爪部
１ｊ  切り欠き部
１ｋ  取付脚
２  カバー
３  回路基板
４  端子保持板
４ａ  取付部
４ｂ  抑え部
４ｃ  支持部
５  端子
６  半田
７  テストピン
８  テストピン保持板
【図１】
0003650259.tif 000002
【図２】
0003650259.tif 000003
【図３】
0003650259.tif 000004
【図４】
0003650259.tif 000005
【図５】
0003650259.tif 000006
【図６】
0003650259.tif 000007
【図７】
0003650259.tif 000008
【図８】
0003650259.tif 000009
【図９】
0003650259.tif 000010
【図１０】
0003650259.tif 000011